(57)【要約】【課題】特定エリア内において発生したイベントを案内するシステム及びその方法を提供する。【解決手段】特定エリア内における移動体端末装置の位置情報を用いて、該特定エリア内で発生したイベントを案内するイベント案内方法において、該移動体端末装置の位置情報を検出し、検出された該位置情報に基づいて該移動体端末装置が集中しているエリアを集中エリアと特定し、該集中エリア及び上記特定エリア内において予め定められた渋滞エリアに基づいてイベント発生エリアを特定し、該イベント発生エリアに関する情報を該移動体端末装置に配信する。【選択図】図１
2013092838.tif 000002
【特許請求の範囲】
【請求項１】
特定エリア内における移動体端末装置の位置情報を用いて、該特定エリア内で発生したイベントを案内するイベント案内システムにおいて、
前記移動体端末装置の位置情報を検出する位置情報検出部と、
検出された前記位置情報に基づいて前記移動体端末装置が集中しているエリアを集中エリアと特定する集中エリア特定部と、
前記特定エリア内において予め定められた渋滞エリアを保存する渋滞エリア保存部と、
前記集中エリア及び前記渋滞エリアに基づいてイベント発生エリアを特定するイベント発生エリア特定部と、
前記イベント発生エリアに関する情報を前記移動体端末装置に配信する第１の配信部と、
を備えるイベント案内システム。
【請求項２】
前記イベント発生エリア特定部は、前記集中エリアから前記渋滞エリアを除くエリアを前記イベント発生エリアと特定する、
請求項１に記載のイベント案内システム。
【請求項３】
前記イベント発生エリア特定部は、第１の時刻における前記イベント発生エリアとしての第１の比較対象エリア及び第２の時刻における前記イベント発生エリアとしての第２の比較対象エリアを特定し、該第２の比較対象エリアから前記第１の比較対象エリアを除くエリアを前記第２の時刻におけるイベント発生エリアと特定する、
請求項１又は２に記載のイベント案内システム。
【請求項４】
前記集中エリア特定部は、第１の時刻における第１の集中エリアを特定する第１の集中エリア特定部と、前記第１の時刻より所定時間後の第２の時刻における第２の集中エリアを特定する第２の集中エリア特定部と、を備え、
前記イベント発生エリア特定部は、前記第２の集中エリアから、前記第１の集中エリア及び前記渋滞エリアを除くエリアを前記第２の時刻における前記イベント発生エリアと特定する、
請求項１又は２に記載のイベント案内システム。
【請求項５】
前記第２の時刻における前記イベント発生エリア内の前記移動体端末装置の位置情報と、前記第２の時刻より所定時間後の第３の時刻における前記イベント発生エリア内の前記移動体端末装置の位置情報とを比較する比較部と、
前記比較の結果に基づき、発生した前記イベントの終了を特定するイベント終了特定部と、
前記イベントの終了に関する情報を前記移動体端末装置に配信する第２の配信部と、
を備える請求項３又は４に記載のイベント案内システム。
【請求項６】
異なる時刻に夫々特定された前記イベント発生エリアに存在する前記移動体端末装置のＩＤの相関に基づいて、前記イベントの移動情報を生成するイベント移動情報生成部、
を備える請求項１〜５のいずれか一項に記載のイベント案内システム。
【請求項７】
特定エリア内における移動体端末装置の位置情報を用いて、該特定エリア内で発生したイベントを案内するイベント案内方法において、
前記移動体端末装置の位置情報を検出する位置情報検出ステップと、
検出された前記位置情報に基づいて前記移動体端末装置が集中しているエリアを集中エリアと特定する集中エリア特定ステップと、
前記特定エリア内において予め定められた渋滞エリアを保存する渋滞エリア保存ステップと、
前記集中エリア及び前記渋滞エリアに基づいてイベント発生エリアを特定するイベント発生エリア特定ステップと、
前記イベント発生エリアに関する情報を前記移動体端末装置に配信する第１の配信ステップと、
を備えるイベント案内方法。
【請求項８】
前記イベント発生エリア特定ステップは、前記集中エリアから前記渋滞エリアを除くエリアを前記イベント発生エリアと特定する、
請求項７に記載のイベント案内方法。
【請求項９】
前記イベント発生エリア特定ステップは、第１の時刻における前記イベント発生エリアとしての第１の比較対象エリア及び第２の時刻における前記イベント発生エリアとしての第２の比較対象エリアを特定し、該第２の比較対象エリアから前記第１の比較対象エリアを除くエリアを前記第２の時刻におけるイベント発生エリアと特定する、
請求項７又は８に記載のイベント案内方法。
【請求項１０】
前記集中エリア特定ステップは、第１の時刻における第１の集中エリアを特定する第１の集中エリア特定ステップと、前記第１の時刻より所定時間後の第２の時刻における第２の集中エリアを特定する第２の集中エリア特定ステップと、を備え、
前記イベント発生エリア特定ステップは、前記第２の集中エリアから、前記第１の集中エリア及び前記渋滞エリアを除くエリアを前記第２の時刻における前記イベント発生エリアと特定する、
請求項７又は８に記載のイベント案内方法。
【請求項１１】
前記第２の時刻における前記イベント発生エリア内の前記移動体端末装置の位置情報と、前記第２の時刻より所定時間後の第３の時刻における前記イベント発生エリア内の前記移動体端末装置の位置情報とを比較する比較ステップと、
前記比較の結果に基づき、発生した前記イベントの終了を特定するイベント終了特定ステップと、
前記イベントの終了に関する情報を前記移動体端末装置に配信する第２の配信ステップと、
を備える請求項９又は１０に記載のイベント案内方法。
【請求項１２】
異なる時刻に夫々特定された前記イベント発生エリアに存在する前記移動体端末装置のＩＤの相関に基づいて、前記イベントの移動情報を生成するイベント移動情報生成ステップ、
を備える請求項７〜１１のいずれか一項に記載のイベント案内方法。
【請求項１３】
特定エリア内における移動体端末装置の位置情報を用いて、該特定エリア内で発生したイベントを案内するためのコンピュータプログラムであって、コンピュータを、
前記移動体端末装置の位置情報を検出する位置情報検出手段と、
検出された前記位置情報に基づいて前記移動体端末装置が集中しているエリアを集中エリアと特定する集中エリア特定手段と、
前記特定エリア内において予め定められた渋滞エリアを保存する渋滞エリア保存手段と、
前記集中エリア及び前記渋滞エリアに基づいてイベント発生エリアを特定するイベント発生エリア特定手段と、
前記イベント発生エリアに関する情報を前記移動体端末装置に配信する第１の配信手段、
として機能させるコンピュータプログラム。
【請求項１４】
前記イベント発生エリア特定手段は、前記集中エリアから前記渋滞エリアを除くエリアを前記イベント発生エリアと特定する、
請求項１３に記載のコンピュータプログラム。
【請求項１５】
前記イベント発生エリア特定手段は、第１の時刻における前記イベント発生エリアとしての第１の比較対象エリア及び第２の時刻における前記イベント発生エリアとしての第２の比較対象エリアを特定し、該第２の比較対象エリアから前記第１の比較対象エリアを除くエリアを前記第２の時刻におけるイベント発生エリアと特定する、
請求項１３又は１４に記載のコンピュータプログラム。
【請求項１６】
前記集中エリア特定手段は、第１の時刻における第１の集中エリアを特定する第１の集中エリア特定手段と、前記第１の時刻より所定時間後の第２の時刻における第２の集中エリアを特定する第２の集中エリア特定手段、として機能し、
前記イベント発生エリア特定手段は、前記第２の集中エリアから、前記第１の集中エリア及び前記渋滞エリアを除くエリアを前記第２の時刻における前記イベント発生エリアと特定する、
請求項１３又は１４に記載のコンピュータプログラム。
【請求項１７】
前記コンピュータを、更に、
前記第２の時刻における前記イベント発生エリア内の前記移動体端末装置の位置情報と、前記第２の時刻より所定時間後の第３の時刻における前記イベント発生エリア内の前記移動体端末装置の位置情報とを比較する比較手段と、
前記比較の結果に基づき、発生した前記イベントの終了を特定するイベント終了特定手段と、
前記イベントの終了に関する情報を前記移動体端末装置に配信する第２の配信手段、
として機能させる請求項１５又は１６に記載のコンピュータプログラム。
【請求項１８】
前記コンピュータを、更に、
異なる時刻に夫々特定された前記イベント発生エリアに存在する前記移動体端末装置のＩＤの相関に基づいて、前記イベントの移動情報を生成するイベント移動情報生成手段、
として機能させる請求項１３〜１７のいずれか一項に記載のコンピュータプログラム。
【請求項１９】
請求項１３〜１８のいずれか一項に記載のコンピュータプログラムを記録する記録媒体。
【発明の詳細な説明】
【技術分野】
【０００１】
本発明は、特定エリア内において発生したイベントを案内するシステム及びその方法に関する。
【背景技術】
【０００２】
テーマパーク等の遊戯施設などでは、様々な乗り物やイベントが開催されている。そして従来、施設の来園者は、できるだけ混雑を避けながら効率的に施設内を回遊しつつ、多くのイベント等を体験するために、自ら計画を立て、あるいは、案内アプリケーションを用いて計画を立てている。
ここで、例えば、テーマパークにおいて何ら告知なく突発的に、着ぐるみを身にまとったキャラクターが現れ、来園者と握手をしたり写真を撮ったりする等のサービスを行うゲリライベントが催されることがある。しかしながら、ゲリライベントは、時間的場所的な告知なく催されるため、来園者は運良くめぐり合わなければ体験することができないのが現状である。
本件発明に関連する従来技術を開示する特許文献１〜３も参照されたい。
【先行技術文献】
【特許文献】
【０００３】
【特許文献１】特開２００２−１８９８２７号公報
【特許文献２】特開２００８−２８８６２６号公報
【特許文献３】特開２００９−１４５２４７号公報
【発明の概要】
【発明が解決しようとする課題】
【０００４】
本発明者らは、運に頼らずともゲリライベントを体験できるよう、リアルタイムにゲリライベントの発生を特定すべく鋭意検討を重ねてきた。その結果、テーマパークのような特定エリア内における移動体端末装置の位置情報を用いて人が集中しているエリア（集中エリア）を特定し、当該集中エリア及び通常的に人で渋滞しているエリア（渋滞エリア）に基づき、リアルタイムでゲリライベントが発生したエリアを特定することができることに想到した。
【課題を解決するための手段】
【０００５】
この発明は上述の課題に鑑みてなされたものであり、その第１の局面は次のように規定される。即ち、
特定エリア内における移動体端末装置の位置情報を用いて、該特定エリア内で発生したイベントを案内するイベント案内システムにおいて、
前記移動体端末装置の位置情報を検出する位置情報検出部と、
検出された前記位置情報に基づいて前記移動体端末装置が集中しているエリアを集中エリアと特定する集中エリア特定部と、
前記特定エリア内において予め定められた渋滞エリアを保存する渋滞エリア保存部と、
前記集中エリア及び前記渋滞エリアに基づいてイベント発生エリアを特定するイベント発生エリア特定部と、
前記イベント発生エリアに関する情報を前記移動体端末装置に配信する第１の配信部と、
を備えるイベント案内システム。
【０００６】
このように規定される第１の局面のイベント案内システムによれば、移動体端末装置の位置情報を検出し、当該位置情報に基づいて該移動体端末装置が集中しているエリアを集中エリアと特定し、当該集中エリアと予め定められた渋滞エリアとに基づいてイベント発生エリアを特定し、特定されたイベント発生エリアを移動体端末装置に配信する。このようにリアルタイム性の高い移動体端末装置の位置情報を用いることにより、リアルタイムに、また、実際の人だかりの状態を反映したイベント発生エリアを特定することができる。また、このように特定されたイベント発生エリアが配信されることにより、ユーザは時間的場所的告知のないゲリライベントであっても体験することが可能となる。
ここで、当該イベント発生エリアに関する情報とは、特に限定されないが、例えば、当該イベント発生エリアの位置情報、現在位置から当該イベント発生エリアへの経路、当該イベント発生エリアで撮影された画像、当該イベント発生エリアで行われているイベントの内容等が挙げられる。
また、前記イベント発生エリア特定部は、前記集中エリアから前記渋滞エリアを除くエリアを前記イベント発生エリアと特定することとしても良い（第２の局面）。このように、集中エリアから通常的に人が滞留しているような渋滞エリアを除くことによって、より実際に即して、より精度良くイベント発生エリアを特定することが可能となる。
渋滞エリアとは、上述のように当該特定エリア内において通常的に人が滞留しているエリアをいう。詳しくは、緩急を問わず人の流れがある箇所を含まず、人が停止しているエリアや、人の移動が一定範囲内（例えば、半径１０ｍ範囲内）に限られている場合のように人が滞留しているエリアを挙げることができる。このようなエリアとして、例えば、アトラクションの待ち行列エリアや、休憩所、ベンチ、露店等が挙げられる。また、他の例としては、アトラクションや休憩所等の位置に基づいて、当該位置を含む所定範囲内（例えば、半径５０ｍ範囲内）を渋滞エリアとすることとしても良い。
【０００７】
この発明の第３の局面は次のように規定される。即ち、
第１又は第２の局面に規定のイベント案内システムにおいて、前記イベント発生エリア特定部は、第１の時刻における前記イベント発生エリアとしての第１の比較対象エリア及び第２の時刻における前記イベント発生エリアとしての第２の比較対象エリアを特定し、該第２の比較対象エリアから前記第１の比較対象エリアを除くエリアを前記第２の時刻におけるイベント発生エリアと特定する。
【０００８】
このように規定される第３の局面のイベント案内システムによれば、第１の時刻においてイベント発生エリアと特定されたエリア（第１の比較対象エリア）以外のエリアであって、第２の時刻においてイベント発生エリアと特定されたエリア（第２の比較対象エリア）を、第２の時刻におけるイベント発生エリアと特定する。このように特定することで、第２の時刻において急速に人だかりが発生したエリアを特定することが可能であり、より実際に即して、より精度良くイベント発生エリアを特定することができる。
前記集中エリア特定部は、第１の時刻における第１の集中エリアを特定する第１の集中エリア特定部と、前記第１の時刻より所定時間後の第２の時刻における第２の集中エリアを特定する第２の集中エリア特定部と、を備え、前記イベント発生エリア特定部は、前記第２の集中エリアから、前記第１の集中エリア及び前記渋滞エリアを除くエリアを前記第２の時刻における前記イベント発生エリアと特定することとしても良い（第４の局面）。このようにイベント発生エリアを特定することによっても、上述のように、第２の時刻において急速に人だかりが発生したエリアを特定することが可能であり、より実際に即して、より精度良くイベント発生エリアを特定することができる。
【０００９】
この発明の第５の局面は次のように規定される。即ち、
第３又は第４の局面に規定のイベント案内システムにおいて、前記第２の時刻における前記イベント発生エリア内の前記移動体端末装置の位置情報と、前記第２の時刻より所定時間後の第３の時刻における前記イベント発生エリア内の前記移動体端末装置の位置情報とを比較する比較部と、
前記比較の結果に基づき、発生した前記イベントの終了を特定するイベント終了特定部と、
前記イベントの終了に関する情報を前記移動体端末装置に配信する第２の配信部と、を備える。
このように規定される第５の局面のイベント案内システムによれば、第２の時刻及び第３の時刻における移動体端末装置の夫々の位置情報に基づいてイベントの終了を特定する。このようにリアルタイム性の高い移動体端末装置の位置情報を用いることにより、リアルタイムに、また、実際の人だかりの解消状態を反映したイベントの終了を特定することができる。リアルタイムに特定されたイベントの終了が配信されれば、当該情報を知ったユーザは、当該イベントへの移動を中止することもでき、施設内での時間を有効に活用することが可能となる。
【００１０】
この発明の第６の局面は次のように規定される。即ち、
第１〜第５のいずれかの局面に規定のイベント案内システムにおいて、異なる時刻に夫々特定された前記イベント発生エリアに存在する前記移動体端末装置のＩＤの相関に基づいて、前記イベントの移動情報を生成するイベント移動情報生成部、を備える。
このように規定される第６の局面のイベント案内システムによれば、異なる時刻において特定されたイベント発生エリア内に存在する移動体端末装置のＩＤ情報に基づいて、イベントの移動情報を生成する。移動体端末装置のＩＤ情報を用いることにより、より実際に即したイベントの移動情報を生成することができる。また、イベントの移動情報が配信されれば、当該情報を知ったユーザは、当該イベントの移動情報に基づきイベントの移動ルートを推測して先回りすることも可能である。
【００１１】
また、この発明の第７の局面は次のように規定される。即ち、
特定エリア内における移動体端末装置の位置情報を用いて、該特定エリア内で発生したイベントを案内するイベント案内方法において、
前記移動体端末装置の位置情報を検出する位置情報検出ステップと、
検出された前記位置情報に基づいて前記移動体端末装置が集中しているエリアを集中エリアと特定する集中エリア特定ステップと、
前記特定エリア内において予め定められた渋滞エリアを保存する渋滞エリア保存ステップと、
前記集中エリア及び前記渋滞エリアに基づいてイベント発生エリアを特定するイベント発生エリア特定ステップと、
前記イベント発生エリアに関する情報を前記移動体端末装置に配信する第１の配信ステップと、
を備えるイベント案内方法。
このように規定される第７の局面の発明によれば、第１の局面と同等の効果を奏する。
【００１２】
この発明の第８の局面は次のように規定される。即ち、
第７の局面に規定の方法において、前記イベント発生エリア特定ステップは、前記集中エリアから前記渋滞エリアを除くエリアを前記イベント発生エリアと特定する。
このように規定される第８の局面の発明によれば、第２の局面と同等の効果を奏する。
【００１３】
この発明の第９の局面は次のように規定される。即ち、
第７又は第８の局面に規定の方法において、前記イベント発生エリア特定ステップは、第１の時刻における前記イベント発生エリアとしての第１の比較対象エリア及び第２の時刻における前記イベント発生エリアとしての第２の比較対象エリアを特定し、該第２の比較対象エリアから前記第１の比較対象エリアを除くエリアを前記第２の時刻におけるイベント発生エリアと特定する。
このように規定される第９の局面の発明によれば、第３の局面と同等の効果を奏する。
【００１４】
この発明の第１０の局面は次のように規定される。即ち、
第７又は第８の局面に規定の方法において、前記集中エリア特定ステップは、第１の時刻における第１の集中エリアを特定する第１の集中エリア特定ステップと、前記第１の時刻より所定時間後の第２の時刻における第２の集中エリアを特定する第２の集中エリア特定ステップと、を備え、
前記イベント発生エリア特定ステップは、前記第２の集中エリアから、前記第１の集中エリア及び前記渋滞エリアを除くエリアを前記第２の時刻における前記イベント発生エリアと特定する。
このように規定される第１０の局面の発明によれば、第４の局面と同等の効果を奏する。
【００１５】
この発明の第１１の局面は次のように規定される。即ち、
第９又は第１０の局面に規定の方法において、前記第２の時刻における前記イベント発生エリア内の前記移動体端末装置の位置情報と、前記第２の時刻より所定時間後の第３の時刻における前記イベント発生エリア内の前記移動体端末装置の位置情報とを比較する比較ステップと、
前記比較の結果に基づき、発生した前記イベントの終了を特定するイベント終了特定ステップと、
前記イベントの終了に関する情報を前記移動体端末装置に配信する第２の配信ステップと、を備える。
このように規定される第１１の局面の発明によれば、第５の局面と同等の効果を奏する。
【００１６】
この発明の第１２の局面は次のように規定される。即ち、
第７〜第１１のいずれかの局面に規定の方法において、異なる時刻に夫々特定された前記イベント発生エリアに存在する前記移動体端末装置のＩＤの相関に基づいて、前記イベントの移動情報を生成するイベント移動情報生成ステップ、を備える。
このように規定される第１２の局面の発明によれば、第６の局面と同等の効果を奏する。
【００１７】
更に、この発明の第１３の局面は次のように規定される。即ち、
特定エリア内における移動体端末装置の位置情報を用いて、該特定エリア内で発生したイベントを案内するためのコンピュータプログラムであって、コンピュータを、
前記移動体端末装置の位置情報を検出する位置情報検出手段と、
検出された前記位置情報に基づいて前記移動体端末装置が集中しているエリアを集中エリアと特定する集中エリア特定手段と、
前記特定エリア内において予め定められた渋滞エリアを保存する渋滞エリア保存手段と、
前記集中エリア及び前記渋滞エリアに基づいてイベント発生エリアを特定するイベント発生エリア特定手段と、
前記イベント発生エリアに関する情報を前記移動体端末装置に配信する第１の配信手段、
として機能させるコンピュータプログラム。
このように規定される第１３の局面の発明によれば、第１の局面と同等の効果を奏する。
【００１８】
この発明の第１４の局面は次のように規定される。即ち、
第１３の局面に規定のコンピュータプログラムにおいて、前記イベント発生エリア特定手段は、前記集中エリアから前記渋滞エリアを除くエリアを前記イベント発生エリアと特定する。
このように規定される第１４の局面の発明によれば、第２の局面と同等の効果を奏する。
【００１９】
この発明の第１５の局面は次のように規定される。即ち、
第１３又は第１４の局面に規定のコンピュータプログラムにおいて、前記イベント発生エリア特定手段は、第１の時刻における前記イベント発生エリアとしての第１の比較対象エリア及び第２の時刻における前記イベント発生エリアとしての第２の比較対象エリアを特定し、該第２の比較対象エリアから前記第１の比較対象エリアを除くエリアを前記第２の時刻におけるイベント発生エリアと特定する。
このように規定される第１５の局面の発明によれば、第３の局面と同等の効果を奏する。
【００２０】
この発明の第１６の局面は次のように規定される。即ち、
第１３又は第１４の局面に規定のコンピュータプログラムにおいて、前記集中エリア特定手段は、第１の時刻における第１の集中エリアを特定する第１の集中エリア特定手段と、前記第１の時刻より所定時間後の第２の時刻における第２の集中エリアを特定する第２の集中エリア特定手段、として機能し、
前記イベント発生エリア特定手段は、前記第２の集中エリアから、前記第１の集中エリア及び前記渋滞エリアを除くエリアを前記第２の時刻における前記イベント発生エリアと特定する。
このように規定される第１６の局面の発明によれば、第４の局面と同等の効果を奏する。
【００２１】
この発明の第１７の局面は次のように規定される。即ち、
第１５又は第１６の局面に規定のコンピュータプログラムにおいて、前記コンピュータを、更に、
前記第２の時刻における前記イベント発生エリア内の前記移動体端末装置の位置情報と、前記第２の時刻より所定時間後の第３の時刻における前記イベント発生エリア内の前記移動体端末装置の位置情報とを比較する比較手段と、
前記比較の結果に基づき、発生した前記イベントの終了を特定するイベント終了特定手段と、
前記イベントの終了に関する情報を前記移動体端末装置に配信する第２の配信手段、として機能させる。
このように規定される第１７の局面の発明によれば、第５の局面と同等の効果を奏する。
【００２２】
この発明の第１８の局面は次のように規定される。即ち、
第１３〜第１７のいずれかの局面に規定のコンピュータプログラムにおいて、前記コンピュータを、更に、
異なる時刻に夫々特定された前記イベント発生エリアに存在する前記移動体端末装置のＩＤの相関に基づいて、前記イベントの移動情報を生成するイベント移動情報生成手段、として機能させる。
このように規定される第１８の局面の発明によれば、第６の局面と同等の効果を奏する。
【００２３】
第１３〜第１８のいずれかの局面に規定されるコンピュータプログラムを記録する記録媒体が第１９の局面として規定される。
【図面の簡単な説明】
【００２４】
【図１】本発明の実施の形態のイベント案内システムの構成を示すブロック図である。
【図２】本発明の実施の形態のイベント案内システムの動作を示すフローチャートである。
【図３】本発明の他の実施の形態のイベント案内システムの構成を示すブロック図である。
【図４】本発明の他の実施の形態のイベント案内システムの構成を示すブロック図である。
【図５】本発明の他の実施の形態のイベント案内システムの構成を示すブロック図である。
【図６】本発明の実施の形態のイベント案内システムを構成するコンピュータシステムを示す。
【発明を実施するための形態】
【００２５】
この発明の実施の形態のイベント案内システムを説明する。
図１に、イベント案内システム１の概略構成を示す。
図１に示すように、このイベント案内システム１は、位置情報検出部３、渋滞エリア保存部４、集中エリア特定部５、イベント発生エリア特定部７及び配信部９を備えている。
位置情報検出部３は、ＧＰＳ受信機能等により移動体端末装置の位置情報を検出する。当該位置情報は、ユーザ自身が位置登録することにより、あるいは、自動的に（例えば、３分間隔等）検出される。当該位置情報検出部３は、当該移動体端末装置の位置情報と併せて、時間情報や移動体端末装置のＩＤ情報等を検出することとしても良い。
渋滞エリア保存部４は、特定エリア内（例えば、テーマパーク内）において予め定められたエリアを渋滞エリアとして保存する。渋滞エリアとしては、例えば、アトラクション付近や休憩所等のように人が滞留するエリアが挙げられる。また、他の例としては、アトラクションや休憩所の位置に基づいて、当該位置を含む所定範囲内（例えば、半径５０ｍ範囲内）を渋滞エリアと特定し、上記渋滞エリア保存部４に保存することとしても良い。当該渋滞エリアは、各時間帯ごと及び／又は曜日ごとの渋滞エリアとして、時間帯ごと及び／又は曜日ごとに保存されていても良い。
【００２６】
集中エリア特定部５は、位置情報検出部３を参照して、検出された上記位置情報に基づいて移動体端末装置が集中しているエリアを集中エリアと特定する。当該集中エリアの特定方法としては、特に限定されないが、例えば、単位面積あたりの移動体端末装置の数が所定閾値以上であるエリアを集中エリアとしたり、また他の例としては、単位面積あたりの移動体端末装置の密度を算出し、当該密度が所定閾値以上であるエリアを集中エリアとすることとできる。また、集中エリア特定部５は、移動体端末装置の位置情報を考慮するだけでなく、当該移動体端末装置が当該位置あるいは当該位置の付近に一定時間滞留していることを考慮して、集中エリアを特定しても良い。詳しくは、当該位置及び／又は当該位置を中心に半径１０ｍの円内に３分以上滞在する移動体端末装置の数が３台以上であることをもって、集中エリアと特定することができる。また、単に家族や友達等の団体が立ち止まっている状態を除くため、予め設定されたグループに基づき、当該移動体端末装置が同一グループに属する場合には、当該グループにつき一の移動体端末装置として扱うこととしても良い。
イベント発生エリア特定部７は、渋滞エリア保存部４及び集中エリア特定部５を参照し、上記集中エリア及び上記渋滞エリアに基づいてイベント発生エリアを特定する。当該イベント発生エリアの特定方法としては、特に限定されないが、例えば、上記集中エリアから渋滞エリアを除くエリアをイベント発生エリアとすることとできる。
配信部９は、第１の配信部９１を備える。当該第１の配信部９１は、上記イベント発生エリア特定部７で特定されたイベント発生エリアに関する情報を上記移動体端末装置に配信する。
【００２７】
図２を用いて、図１に示すイベント案内システム１の動作を説明する。
まず、ステップ１では、位置情報検出部３は、移動体端末装置の位置情報を検出する。
ステップ３では、集中エリア特定部５は、ステップ１で検出された移動体端末装置の位置情報に基づいて集中エリアを特定する。
ステップ５では、イベント発生エリア特定部７は、渋滞エリア保存部４に保存された渋滞エリア及びステップ３で特定された集中エリアに基づいて、当該集中エリアから渋滞エリアを除くエリアをイベント発生エリアと特定する。
ステップ７は、第１の配信部９１は、ステップ５で特定されたイベント発生エリアを移動体端末装置へ配信する。
【００２８】
図３に、他の実施の形態のイベント案内システム２１を示す。図３において、図１と同等の要素には同一の符号を付して、その説明を部分的に省略する。
図３に示すのは、より精度良くイベント発生エリアを特定可能なイベント案内システム２１である。すなわち、当該システム２１は、図１に示すシステム１における、位置情報検出部３、集中エリア特定部５、イベント発生エリア特定部７に代えて、夫々位置情報検出部２３、集中エリア特定部２４、イベント発生エリア特定部２６を備え、更に、第１保存部２５を備えている。
位置情報検出部２３は、第１の位置情報検出部２３１及び第２の位置情報検出部２３３を備える。第１の位置情報検出部２３１は、第１の時刻における移動体端末装置の位置情報を検出し、第２の位置情報検出部２３３は、第２の時刻における移動体端末装置の位置情報を検出する。
集中エリア特定部２４は、第１の集中エリア特定部２４１及び第２の集中エリア特定部２４３を備える。第１の集中エリア特定部２４１は、上記第１の位置情報検出部２３１を参照して、第１の時刻における第１の集中エリアを特定する。特定された当該第１の集中エリアは、第１保存部２５内第１−１保存部２５１に保存される。また同様にして、第２の集中エリア特定部２４３は、第２の時刻における第２の集中エリアを特定し、特定された当該第２の集中エリアは第１−２保存部２５３に保存される。
【００２９】
イベント発生エリア特定部２６は、第１の比較対象エリア特定部２６１、第２の比較対象エリア特定部２６３及び特定部２６５を備え、渋滞エリア保存部４及び第１保存部２５を参照して、イベント発生エリアを特定する。
第１の比較対象エリア特定部２６１は、渋滞エリア保存部４及び第１−１保存部２５１を参照し、上記第１の集中エリア及び渋滞エリアに基づいて第１の比較対象エリアを特定する。また、第２の比較対象エリア特定部２６３は、渋滞エリア保存部４及び第１−２保存部２５３を参照し、上記第２の集中エリア及び渋滞エリアに基づいて第２の比較対象エリアを特定する。
特定部２６５は、第１の比較対象エリア特定部２６１及び第２の比較対象エリア特定部２６３を参照して、第２の比較対象エリアから第１の比較対象エリアを除くエリアを第２の時刻におけるイベント発生エリアと特定する。
このシステム２１によれば、第２の時刻において急速に人が集まったエリアを特定可能であることから、より精度良くイベント発生エリアを特定することができる。
また、より精度良くイベント発生エリアを特定するための方法として、上記実施の形態のほか、上記第１の時刻における第１の集中エリア、第２の時刻における第２の集中エリア及び渋滞エリアに基づき、当該第２の集中エリアから、第１の集中エリア及び渋滞エリアを除いたエリアをイベント発生エリアとすることとしても良い。
【００３０】
図４に、他の実施の形態のイベント案内システム３１を示す。図４において、図１及び図３と同等の要素には同一の符号を付して、その説明を部分的に省略する。
図４に示すのは、発生したイベントの終了を特定可能なイベント案内システム３１である。すなわち、当該システム３１は、図１に示すシステム１における、位置情報検出部３、配信部９に代えて、夫々位置情報検出部３３、配信部３８を備え、更に、第１保存部３４、第２保存部３５、比較部３６及びイベント終了特定部３７を備えている。
位置情報検出部３３は、第２の位置情報検出部２３３及び第３の位置情報検出部３３１を備える。第２の位置情報検出部２３３は、第２の時刻における移動体端末装置の位置情報を検出し、第３の位置情報検出部３３１は、第３の時刻における移動体端末装置の位置情報を検出する。
第１保存部３４には、集中エリア特定部５が、第２の位置情報検出部２３３を参照して特定した第２の集中エリアが保存される。
第２保存部３５には、イベント発生エリア特定部７で特定されたイベント発生エリアが保存される。当該第２保存部３５に保存されたイベント発生エリアは、当該イベント発生エリアに関する他の情報とともに、配信部３８内第１の配信部９１によって移動体端末装置へ配信される。
【００３１】
比較部３６は、位置情報検出部３３及び第２保存部３５を参照し、イベント発生エリア特定部７で特定された、第２の時刻におけるイベント発生エリア内の移動体端末装置の位置情報と、当該第２の時刻より所定時間後の第３の時刻における当該イベント発生エリア内の移動体端末装置の位置情報とを比較する。
イベント終了特定部３７は、比較部３６の比較結果に基づいて、発生した上記イベントの終了を特定する。当該イベント終了の特定方法としては、特に限定されないが、例えば、第３の時刻におけるイベント発生エリア内の移動体端末装置の数が所定閾値以下である場合に、当該イベントの終了を特定することとできる。また、他の例としては、イベント発生エリア内における移動体端末装置の密度が所定閾値以下であることに基づいて、当該イベントの終了を特定することとしても良い。
配信部３８は、第１の配信部９１及び第２の配信部３８１を備える。第１の配信部９１は上述のように、第２保存部３５に保存されたイベント発生エリアに関する情報を配信する。
第２の配信部３８１は、上記イベント終了特定部３７で特定されたイベント終了に関する情報を上記移動体端末装置に配信する。
【００３２】
図５に、他の実施の形態のイベント案内システム４１を示す。図５において、図１、図３及び図４と同等の要素には同一の符号を付して、その説明を部分的に省略する。
図５に示すのは、イベントの連続的移動情報を生成可能なイベント案内システム４１である。すなわち、当該システム４１は、図１に示すシステム１における、位置情報検出部３、集中エリア特定部５、イベント発生エリア特定部７に代えて、夫々位置情報検出部４３、集中エリア特定部４４、イベント発生エリア特定部４６を備え、更に、第１保存部４５、第２保存部４７及び移動情報生成部４８を備えている。
位置情報検出部４３は、第４の位置情報検出部４３１及び第５の位置情報検出部４３３を備える。第４の位置情報検出部４３１は、第４の時刻における移動体端末装置の位置情報を検出し、第５の位置情報検出部４３３は、第５の時刻における移動体端末装置の位置情報を検出する。
【００３３】
集中エリア特定部４４は、第４の集中エリア特定部４４１及び第５の集中エリア特定部４４３を備える。第４の集中エリア特定部４４１は、上記第４の位置情報検出部４３１を参照して、第４の時刻における第４の集中エリアを特定する。特定された当該第４の集中エリアは、第１保存部４５内第１−４保存部４５１に保存される。また同様にして、第５の集中エリア特定部４５３は、第５の時刻における第５の集中エリアを特定し、特定された当該第５の集中エリアは第１−５保存部４５３に保存される。
イベント発生エリア特定部４６は、第４のイベント発生エリア特定部４６１及び第５のイベント発生エリア特定部４６３を備える。第４のイベント発生エリア特定部４６１は、渋滞エリア保存部４及び第１−４保存部４５１を参照し、上記第４の集中エリア及び渋滞エリアに基づいて第４のイベント発生エリアを特定する。特定された当該第４のイベント発生エリアは第２保存部４７内第２−４保存部４７１に保存される。また同様にして、第５のイベント発生エリア特定部４６３は、渋滞エリア保存部４及び第１−５保存部４５３を参照し、上記第５の集中エリア及び渋滞エリアに基づいて第５のイベント発生エリアを特定する。特定された当該第５のイベント発生エリアは第２−５保存部４７３に保存される。
【００３４】
移動情報生成部４８は、第４のＩＤ特定部４８１、第５のＩＤ特定部４８３、検証部４８５及び生成部４８７を備え、第２保存部４７を参照して、イベントの移動情報を生成する。
第４のＩＤ特定部４８１は、第４の位置情報検出部４３１及び第２−４保存部４７１を参照して、第４の時刻における第４のイベント発生エリア内に存在する移動体端末装置の第４のＩＤ情報を特定する。また同様にして、第５のＩＤ特定部４８３は、第５の位置情報検出部４３３及び第２−５保存部４７３を参照して、第５の時刻における第５のイベント発生エリアに存在する移動体端末装置の第５のＩＤ情報を特定する。
検証部４８５は、ＩＤ特定部４８１及び４８３で夫々特定された第４のＩＤ情報及び第５のＩＤ情報に基づいて、第４のイベント発生エリアにおけるイベントと第５のイベント発生エリアにおけるイベントとの相関を検証する。当該検証の方法は、特に限定されないが、例えば、上記第４のＩＤ特定部４８１で特定された第４のＩＤ情報の数及び第５のＩＤ特定部４８３で特定された第５のＩＤ情報の数を夫々カウントするとともに、上記第４のＩＤ情報と第５のＩＤ情報とを照らし合わせて、両者に共通するＩＤの数（共通ＩＤ）をカウントする。そして、当該第５のＩＤ情報の数及び共通ＩＤの数から演算される、第５のＩＤ情報の数に占める共通ＩＤの数の割合に基づいて、第４のイベント発生エリアにおけるイベントと第５のイベント発生エリアとの相関関係を検証することとできる。
生成部４８７は、検証部４８５の検証結果に基づいて、上記イベントの移動情報を生成する。当該移動情報の生成方法としては、例えば、上記検証の結果に基づき、第５のＩＤ情報の数に占める共通ＩＤの数の割合が所定閾値以上であるとき、第５のイベント発生エリアにおけるイベントは第４のイベント発生エリアにおけるイベントと相関があるとして、第４のイベント発生エリアから第５のイベント発生エリアへのイベントの移動情報を生成することとできる。当該移動情報としては、当該イベントの移動情報が示すことができれば特に限定されないが、例えば、当該移動を示すベクトルを併せて生成することとできる。当該生成された移動情報は、第１の配信部９１によって、イベント発生エリアとともに移動体端末装置に配信することとできる。
【００３５】
図６はイベント案内システム５１のハード構成を示すブロック図である。
このシステム５１のハード構成は、一般的なコンピュータシステムと同様に中央制御装置２２１に対してシステムバス２２２を介して各種の要素が結合されたものである。
中央制御装置２２１は汎用的なＣＰＵ、メモリ制御装置、バス制御装置、割り込み制御装置更にはＤＭＡ（直接メモリアクセス）装置を含み、システムバス２２２もデータライン、アドレスライン、制御ラインを含む。システムバス２２２にはＲＡＭ（ランダムアクセスメモリ）２２３、不揮発メモリ（ＲＯＭ２２４，ＣＭＯＳ−ＲＡＭ２２５等）からなるメモリ回路が接続されている。ＲＡＭ２２３に格納されるデータは中央制御装置２２１や他のハードウエア要素によって読み取られたり、書き換えられたりする。不揮発メモリのデータは読み取り専用であり、装置をオフとしたときにもそこのデータは喪失されない。このハードウエアを制御するシステムプログラムはハードディスク装置２２７に保存されており、また、ＲＡＭ２２３に保存されており、ディスクドライブ制御装置２２６を介して適宜中央制御装置２２１に読みこまれて使用される。このハードディスク装置２２７には、汎用的な構成のコンピュータシステムをイベント案内システム５１として動作させるためのコンピュータプログラムを保存する領域が確保される。
このハードディスク装置２２７の所定の領域が、イベント発生エリア特定部７の特定結果を保存する保存部用に割り付けられる。
ハードディスク装置２２７の他の領域が渋滞エリア保存部４用に割り付けられる。
【００３６】
システムバス２２２には、フレキシブルディスク２３２に対してデータの読み込み及び書き込みを行うフレキシブルドライブ制御装置２３１、コンパクトディスク２３４に対してそれからデータの読み取りを行うＣＤ／ＤＶＤ制御装置２３３が接続されている。この例ではプリンタインターフェース２３７にプリンタ２３８を接続させている。
システムバス２２２にはキーボード・マウス制御装置２４１が接続され、キーボード２４２及びマウス２４３からのデータ入力を可能としている。モニタ２４５がモニタ制御装置２４４を介してシステムバス２２２に接続されている。モニタ２４５にはＣＲＴタイプ、液晶タイプ、プラズマディスプレイタイプなどを利用することができる。
各種の要素（モデムなど）の増設を可能とするため空きのスロット２５１が準備されている。
このシステム５１はネットワークアダプタ２６１を介して、ネットワークＮに接続されており、このネットワーク（インターネット）Ｎには移動体端末装置が連結されることとできる。
このコンピュータシステムからなるイベント案内システム５１を稼動させるために必要なプログラム（ＯＳプログラム、アプリケーションプログラム（本発明のものも含む））は、各種の記録媒体を介してシステムの中にインストールされる。例えば非書き込み記録媒体（ＣＤ−ＲＯＭ、ＲＯＭカード等）、書き込み可能記録媒体（ＦＤ、ＤＶＤ等）、更にはネットワークＮを利用して通信媒体の形式でインストールすることも可能である。勿論、不揮発メモリ２２４、２２５やハードディスク装置２２７に予めこれらのプログラムを書きこんでおくこともできる。
【００３７】
以上、本発明の実施の形態について説明してきたが、これらのうち、２つ以上の実施の形態を組み合わせて実施しても構わない。あるいは、これらのうち、１つの実施の形態を部分的に実施しても構わない。さらには、これらのうち、２つ以上の実施の形態を部分的に組み合わせて実施しても構わない。
【００３８】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００３９】
１  ２１  ３１  ４１  ５１  イベント案内システム
３  ２３  ３３  ４３  位置情報検出部
４  渋滞エリア保存部
５  ２４  ４４  集中エリア特定部
７  ２６  ４６  イベント発生エリア特定部
９  ３８配信部
３６  比較部
３７  イベント終了特定部
４８  移動情報生成部
【図１】
2013092838.tif 000003
【図２】
2013092838.tif 000004
【図３】
2013092838.tif 000005
【図４】
2013092838.tif 000006
【図５】
2013092838.tif 000007
【図６】
2013092838.tif 000008